【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2006510783.tif 000001
〔式中、
Ｒ１およびＲ２は、互いに独立して、Ｈ、Ｃ１〜Ｃ２０-(シクロ)アルキル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、１〜２４個の炭素原子を有する混合脂肪族／芳香族基であるか、あるいは、これらは４〜８員環の部分であり得、および
Ｘは、電子求引性基であり、
ｎは、０〜５の整数である。〕
で示される構造単位と、
４００〜６０００の平均分子量範囲のポリマーポリオールの構造単位と
を有するポリマー骨格を含んでなり、
該ポリマー骨格は、イオン性または潜在的イオン性および／または非イオン的親水性化基を有する、親水性ポリウレタン（ＰＵ）プレポリマー。
【請求項２】
一般構造単位（II）：
【化２】
2006510783.tif 000002
〔式中、
Ｒ１およびＲ２は、互いに独立して、Ｈ、Ｃ１〜Ｃ２０-(シクロ)アルキル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、１〜２４個の炭素原子を有する混合脂肪族／芳香族基であるか、あるいは、これらは４〜８員環の部分であり得、
Ｘは、電子求引性基であり、
Ｚは、ＯＨ、ＯＲ３またはＮＲ４Ｒ５を示し、ここで
Ｒ３は、Ｃ１〜Ｃ２０-(シクロ)アルキル基、Ｃ２〜Ｃ１８-アルケニル基、Ｃ５〜Ｃ８-シクロアルケニル基、Ｃ２〜Ｃ１８-アルキニル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、Ｃ３〜Ｃ１２-ヘテロシクロアルキル基であり、これらは非置換であるか、またはＮＯ２、アミノ、シアノ、カルボキシル、エステル、ケトまたはアルデヒド基で置換され得、
Ｒ４／Ｒ５は、互いに独立して、Ｈ、Ｃ１〜Ｃ２０-(シクロ)アルキル基、Ｃ２〜Ｃ１８-アルケニル基、Ｃ５〜Ｃ８-シクロアルケニル基、Ｃ２〜Ｃ１８-アルキニル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、Ｃ３〜Ｃ１２-ヘテロシクロアルキル基であり、これらは非置換であるか、またはＮＯ２、アミノ、シアノ、カルボキシル、エステル、ケトまたはアルデヒド基で置換され得、ならびにＲ４およびＲ５は、窒素原子と一緒になって、Ｃ３〜Ｃ１２-シクロアルキルまたはＯ、ＳまたはＮ原子を含有するＣ３〜Ｃ１３-ヘテロシクロアルキル基を形成し得る。〕
および／または一般構造単位（III）：
【化３】
2006510783.tif 000003
〔式中、
Ｒ１、Ｒ２およびＸは、上記と同義であり、
Ｚ’は、架橋酸素原子または架橋第二級もしくは第三級窒素原子を示し、および
ｎは、０〜５の整数である。〕
を含んでなる、ポリウレタン-ポリ尿素水性分散体。
【請求項３】
請求項１に記載の水分散性または水溶性ポリウレタンプレポリマーの製造方法であって、
触媒の存在下、および、必要に応じてイソシアネート不活性有機溶媒の存在下、
Ａ１）脂肪族的に、脂環族的に、芳香脂肪族的におよび／または芳香族的に結合したイソシアネート基を有する、少なくとも一つのポリイソシアネートを、
Ａ２）４００〜６０００の平均分子量範囲のポリマーポリオールと、
Ａ３）必要に応じて、４００までの分子量範囲の、１〜４個の水酸基を有する、一以上の多価アルコールと、
Ａ４）ＮＣＯ反応性基を有する、少なくとも一つのイオン性および／または潜在的イオン性および／または非イオン性親水性化合物と、
Ａ５）一般式（IV）：
【化４】
2006510783.tif 000004
〔式中、
Ｘは、電子求引性基であり、
Ｒ１およびＲ２は、互いに独立して、Ｈ、Ｃ１〜Ｃ２０-(シクロ)アルキル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、１〜２４個の炭素原子を有する混合脂肪族／芳香族基であるか、あるいは、これらは４〜８員環の部分であり得、
ｎは、０〜５の整数である。〕
で示される、少なくとも一つのＣＨ酸性環状ケトンと、
Ａ６）必要に応じて、４００までの分子量範囲の、１〜４個のアミノ基を有する、一以上の脂肪族（脂環族）モノアミンもしくはポリアミンまたはアミノアルコールと
を反応させることを含み、
イソシアネート反応性基に対するイソシアネート基のモル比は０.５〜３である、
ことを特徴とする、方法。
【請求項４】
ポリウレタン-ポリ尿素水性分散体の製造方法であって、式（Ｉ）：
【化５】
2006510783.tif 000005
〔式中、
Ｒ１およびＲ２は、互いに独立して、Ｈ、Ｃ１〜Ｃ２０-(シクロ)アルキル基、Ｃ６〜Ｃ２４-アリール基、Ｃ１〜Ｃ２０-(シクロ)アルキルエステルまたはアミド基、Ｃ６〜Ｃ２４-アリールエステルまたはアミド基、１〜２４個の炭素原子を有する混合脂肪族／芳香族基であるか、あるいは、これらは４〜８員環の部分であり得、および
Ｘは、電子求引性基であり、
ｎは、０〜５の整数である。〕
で示される構造単位と、
４００〜６０００の平均分子量範囲のポリマーポリオールの構造単位と
を有するポリマー骨格を含んでなり、
該ポリマー骨格は、イオン性または潜在的イオン性および／または非イオン的親水性化基を有する、
ＰＵプレポリマーを、水相に移し、および
イオン性または潜在的イオン性基の場合、これらを予めまたは同時に部分的にまたは完全に中和し、分散操作の前または後にアミン成分（Ａ４）および／または（Ａ６）による鎖延長を行うことを特徴とする、方法。
【請求項５】
請求項２に記載のポリウレタン-ポリ尿素分散体を含んでなる、被覆組成物。
【請求項６】
請求項２に記載のポリウレタン-ポリ尿素分散体を含んでなる被覆組成物で被覆された基材。
【手続補正２】
【補正対象書類名】明細書
【補正対象項目名】００３１
【補正方法】変更
【補正の内容】
【００３１】
分散体の組成は、アミン成分（Ａ４）および／または（Ａ６）による鎖延長が、ＰＵプレポリマーの製造段階または水相中の分散体の製造段階において起こるか否かに関わらず、本発明のＰＵプレポリマーについて規定された組成に対応する。
【手続補正３】
【補正対象書類名】明細書
【補正対象項目名】００３４
【補正方法】変更
【補正の内容】
【００３４】
分子量範囲４００〜６０００のポリマーポリオールＡ２）は、少なくとも１.６から４までのＯＨ官能価を有する、ポリウレタンについて既に長い間使用されてきたような慣例のもの、例えば、ポリアクリレート、ポリエステル、ポリラクトン、ポリエーテル、ポリカーボネート、ポリエステルカーボネート、ポリアセタール、ポリオレフィンおよびポリシロキサンなどである。好適には、分子量範囲６００〜２５００の、１.８〜３、より好適には１.９〜２.１のＯＨ官能価を有するポリオールが挙げられる。特に好適なポリオールは、ポリエステル-、ポリエーテル-およびポリカーボネート-ポリオールである。
【手続補正４】
【補正対象書類名】明細書
【補正対象項目名】００８０
【補正方法】変更
【補正の内容】
【００８０】
本発明は、本発明のポリウレタン分散体を含んでなる被覆組成物を提供する。
さらに、本発明は、本発明のＰＵ分散体を含んでなる被覆組成物で被覆された基材を提供する。
本発明の好適な実施態様には、以下のものが含まれる。
〔１〕上記式（Ｉ）で示される構造単位と、
４００〜６０００の平均分子量範囲のポリマーポリオールの構造単位と
を有するポリマー骨格を含んでなり、
該ポリマー骨格は、イオン性または潜在的イオン性および／または非イオン的親水性化基を有する、親水性ポリウレタン（ＰＵ）プレポリマー。
〔２〕上記一般構造単位（II）および／または上記一般構造単位（III）を含んでなる、ポリウレタン-ポリ尿素水性分散体。
〔３〕上記〔１〕に記載の水分散性または水溶性ポリウレタンプレポリマーの製造方法であって、
触媒の存在下、および、必要に応じてイソシアネート不活性有機溶媒の存在下、
Ａ１）脂肪族的に、脂環族的に、芳香脂肪族的におよび／または芳香族的に結合したイソシアネート基を有する、少なくとも一つのポリイソシアネートを、
Ａ２）４００〜６０００の平均分子量範囲のポリマーポリオールと、
Ａ３）必要に応じて、４００までの分子量範囲の、１〜４個の水酸基を有する、一以上の多価アルコールと、
Ａ４）ＮＣＯ反応性基を有する、少なくとも一つのイオン性および／または潜在的イオン性および／または非イオン性親水性化合物と、
Ａ５）上記一般式（IV）で示される、少なくとも一つのＣＨ酸性環状ケトンと、
Ａ６）必要に応じて、４００までの分子量範囲の、１〜４個のアミノ基を有する、一以上の脂肪族（脂環族）モノアミンもしくはポリアミンまたはアミノアルコールと
を反応させることを含み、
イソシアネート反応性基に対するイソシアネート基のモル比は０.５〜３である、
ことを特徴とする、方法。
〔４〕ポリマーポリオール（Ａ２）は、ポリエステル-、ポリエーテル-またはポリカーボネート-ポリオールであることを特徴とする、上記〔３〕に記載の方法。
〔５〕ポリエーテルポリオールは、３０ｍｏｌ％未満のエチレンオキシド単位から構成されることを特徴とする、上記〔４〕に記載の方法。
〔６〕ポリウレタン-ポリ尿素水性分散体の製造方法であって、上記式（Ｉ）で示される構造単位と、
４００〜６０００の平均分子量範囲のポリマーポリオールの構造単位と
を有するポリマー骨格を含んでなり、
該ポリマー骨格は、イオン性または潜在的イオン性および／または非イオン的親水性化基を有する、
ＰＵプレポリマーを、水相に移し、および
イオン性または潜在的イオン性基の場合、これらを予めまたは同時に部分的にまたは完全に中和し、分散操作の前または後にアミン成分（Ａ４）および／または（Ａ６）による鎖延長を行うことを特徴とする、方法。
〔７〕上記〔２〕に記載のポリウレタン-ポリ尿素水性分散体を、単独でまたは硬化剤および／または水に溶解可能、乳化可能または分散可能なポリマーと組み合わせて分散形態で使用することを特徴とする、被覆物の製造方法。
〔８〕上記〔２〕に記載のポリウレタン-ポリ尿素分散体を含んでなる、被覆組成物。
〔９〕上記〔２〕に記載のポリウレタン-ポリ尿素分散体を含んでなる被覆組成物で被覆された基材。
〔１０〕ラッカー、サイズ剤または接着剤を製造するための上記〔１〕に記載のポリウレタンプレポリマーの使用。
〔１１〕ラッカー、サイズ剤または接着剤を製造するための上記〔２〕に記載のポリウレタン-ポリ尿素水性分散体の使用。